(57)【要約】  本開示は、共有セル配備／システムにおいてワイヤレスデバイスのロケーションを判定するためのシステム及び方法に関連する。いくつかの実施形態において、１つ以上のネットワークノードの動作の方法は、共有セル内の複数の受信／送信（Ｒ／Ｔ）ポイントの少なくともサブセットによりワイヤレスデバイスから受信される１つ以上のアップリンク送信の少なくとも一部の別々のサンプルを取得すること、を含む。上記別々のサンプルは、上記共有セル内の上記複数のＲ／Ｔポイントの上記少なくともサブセットの各Ｒ／Ｔポイントについて、上記ワイヤレスデバイスから当該Ｒ／Ｔポイントにより受信されるアップリンク送信の少なくとも一部のサンプルを含む。上記方法は、さらに、上記別々のサンプルから判定される、上記ワイヤレスデバイスと上記複数のＲ／Ｔポイントの上記少なくともサブセットとの間のレンジについてのレンジ推定結果に基づいて、マルチラテレーションを実行すること、を含む。【選択図】図２
2018526927.tif 000002
【特許請求の範囲】
【請求項１】
共有セル環境においてワイヤレスデバイス（１８）のロケーションを判定するための、１つ以上のネットワークノードの動作の方法であって、
共有セル（１２）内の複数の受信／送信（Ｒ／Ｔ）ポイント（１４）の少なくともサブセットによりワイヤレスデバイス（１８）から受信される１つ以上のアップリンク送信の少なくとも一部の別々のサンプルを取得（１００）することと、
前記別々のサンプルは、前記共有セル（１２）内の前記複数のＲ／Ｔポイント（１４）の前記少なくともサブセットの各Ｒ／Ｔポイント（１４）について、前記ワイヤレスデバイス（１８）から当該Ｒ／Ｔポイント（１４）により受信されるアップリンク送信の少なくとも一部のサンプルを含むことと、
前記共有セル（１２）内の前記複数のＲ／Ｔポイント（１４）の前記少なくともサブセットにより前記ワイヤレスデバイス（１８）から受信される前記１つ以上のアップリンク送信の前記少なくとも一部の前記別々のサンプルから判定される、前記ワイヤレスデバイス（１８）と前記複数のＲ／Ｔポイント（１４）の前記少なくともサブセットとの間のレンジについてのレンジ推定結果に基づいて、マルチラテレーションを実行（１０２）して、それにより前記ワイヤレスデバイス（１８）のロケーションを判定することと、
を含む方法。
【請求項２】
前記別々のサンプルを取得（１００）することは、
前記ワイヤレスデバイス（１８）によるアップリンク送信をスケジューリング（２００）することと、
前記ワイヤレスデバイス（１８）による前記アップリンク送信の少なくとも一部に対応する時間ウィンドウの期間中に、前記複数のＲ／Ｔポイント（１４）のうちの１つを除く全てにより出力される受信信号をミューティング（２０２）して、それにより、前記複数のＲ／Ｔポイント（１４）のうちの前記１つにより受信される前記アップリンク送信の前記少なくとも一部に対応するミューティングされない受信信号と、前記複数のＲ／Ｔポイント（１４）のうちの他のＲ／Ｔポイント（１４）の全てについてのミューティングされた受信信号とを提供することと、前記複数のＲ／Ｔポイント（１４）のうちの前記１つは、前記複数のＲ／Ｔポイント（１４）の前記少なくともサブセットのうちの１つであることと、
前記ワイヤレスデバイス（１８）による前記アップリンク送信の前記少なくとも一部に対応する前記時間ウィンドウの期間中に、前記ミューティングされない受信信号と前記ミューティングされた受信信号とを合成（２０４）して、前記複数のＲ／Ｔポイント（１４）のうちの前記１つにより前記ワイヤレスデバイス（１８）から受信される前記アップリンク送信の前記少なくとも一部の前記サンプルを提供することと、
前記複数のＲ／Ｔポイント（１４）の前記少なくともサブセット内の他のＲ／Ｔポイント（１４）の全てについて、前記スケジューリング（２００）、ミューティング（２０２）及び合成（２０４）の動作を反復することと、
を含む、請求項１の方法。
【請求項３】
前記ワイヤレスデバイス（１８）による前記アップリンク送信の前記少なくとも一部に対応する前記時間ウィンドウは、前記ワイヤレスデバイス（１８）による前記アップリンク送信に含まれるアップリンクサウンディングリファレンスシンボルに対応する時間ウィンドウである、請求項２の方法。
【請求項４】
マルチラテレーションを実行（１０２）することは、
前記ワイヤレスデバイス（１８）と前記複数のＲ／Ｔポイント（１４）の前記少なくともサブセットの各Ｒ／Ｔポイント（１４）との間のレンジについてのレンジ推定結果を、対応するサンプルに基づいて計算（２１０）することと、
前記レンジ推定結果に基づいて、前記ワイヤレスデバイス（１８）の前記ロケーションを計算（２１２）することと、
を含む、請求項２又は請求項３の方法。
【請求項５】
前記別々のサンプルを取得（１００）することは、
前記ワイヤレスデバイス（１８）によるアップリンク送信をスケジューリング（２００）することと、
前記ワイヤレスデバイス（１８）による前記アップリンク送信の少なくとも一部に対応する時間ウィンドウの期間中に、前記複数のＲ／Ｔポイント（１４）により出力される受信信号を合成して前記共有セルについての合成受信信号を提供することに先立って、前記複数のＲ／Ｔポイント（１４）の前記少なくともサブセットにより受信される前記アップリンク送信の前記少なくとも一部の前記別々のサンプルとして、前記時間ウィンドウの期間中に前記複数のＲ／Ｔポイント（１４）の前記少なくともサブセットにより受信される前記受信信号の一部を同時に取得（３０２）することと、
を含む、請求項１の方法。
【請求項６】
前記ワイヤレスデバイス（１８）による前記アップリンク送信の前記少なくとも一部に対応する前記時間ウィンドウは、前記ワイヤレスデバイス（１８）による前記アップリンク送信に含まれるアップリンクサウンディングリファレンスシンボルに対応する時間ウィンドウである、請求項５の方法。
【請求項７】
前記別々のサンプルを取得することは、前記複数のＲ／Ｔポイント（１４）の前記少なくともサブセットにより受信される前記アップリンク送信の前記少なくとも一部の前記別々のサンプルを時間多重化（３０４）して、時間多重化信号を提供すること、をさらに含む、請求項５又は請求項６の方法。
【請求項８】
前記１つ以上のネットワークノードは、第１のネットワークノード（３８）及び第２のネットワークノード（４０）を含み、
前記別々のサンプルを取得（１００）することは、前記第１のネットワークノード（３８）において前記別々のサンプルを取得すること、を含み、
マルチラテレーションを実行（１０２）することは、前記第２のネットワークノード（４０）においてマルチラテレーションを実行すること、を含み、
前記別々のサンプルを取得（１００）することは、前記第１のネットワークノード（３８）から前記第２のネットワークノード（４０）へ前記時間多重化信号を送信（３０４）すること、をさらに含む、
請求項７の方法。
【請求項９】
前記第１のネットワークノード（３８）から前記第２のネットワークノード（４０）へ前記時間多重化信号を送信（３０４）することは、前記共有セル（１２）についての前記合成受信信号と共に共通リンク上で前記第１のネットワークノード（３８）から前記第２のネットワークノード（４０）へ前記時間多重化信号を送信（３０４）すること、を含む、請求項８の方法。
【請求項１０】
マルチラテレーションを実行（１０２）することは、
前記ワイヤレスデバイス（１８）と前記複数のＲ／Ｔポイント（１４）の前記少なくともサブセットの各Ｒ／Ｔポイント（１４）との間のレンジについてのレンジ推定結果を、対応するサンプルに基づいて計算（３０６）することと、
前記レンジ推定結果に基づいて、前記ワイヤレスデバイス（１８）の前記ロケーションを計算（３０８）することと、
を含む、請求項５〜９のいずれかの方法。
【請求項１１】
共有セル環境においてワイヤレスデバイス（１８）のロケーションを判定するように動作可能なシステムであって、
共有セル（１２）内の複数の受信／送信（Ｒ／Ｔ）ポイント（１４）の少なくともサブセットにより前記ワイヤレスデバイス（１８）から受信される１つ以上のアップリンク送信の少なくとも一部の別々のサンプルを取得（１００）する、
ように動作可能な、セルラー通信ネットワーク（１０）の前記共有セル（１２）のための処理システム（１６）、を含み、
前記別々のサンプルは、前記共有セル（１２）内の前記複数のＲ／Ｔポイント（１４）の前記少なくともサブセットの各Ｒ／Ｔポイント（１４）について、前記ワイヤレスデバイス（１８）から当該Ｒ／Ｔポイント（１４）により受信されるアップリンク送信の少なくとも一部のサンプルを含み、
前記処理システム（１６）は、前記共有セル（１２）内の前記複数のＲ／Ｔポイント（１４）の前記少なくともサブセットにより前記ワイヤレスデバイス（１８）から受信される前記１つ以上のアップリンク送信の前記少なくとも一部の前記別々のサンプルから判定される、前記ワイヤレスデバイス（１８）と前記複数のＲ／Ｔポイント（１４）の前記少なくともサブセットとの間のレンジについてのレンジ推定結果に基づいて、マルチラテレーションを実行（１０２）して、それにより前記ワイヤレスデバイス（１８）の前記ロケーションを判定する、ように動作可能である、
システム。
【請求項１２】
前記別々のサンプルを取得（１００）するために、前記処理システム（１６）は、
前記ワイヤレスデバイス（１８）によるアップリンク送信をスケジューリング（２００）し、
前記ワイヤレスデバイス（１８）による前記アップリンク送信の少なくとも一部に対応する時間ウィンドウの期間中に、前記複数のＲ／Ｔポイント（１４）のうちの１つであって前記複数のＲ／Ｔポイント（１４）の前記少なくともサブセットのうちの１つである当該１つを除く全てにより出力される受信信号をミューティング（２０２）して、それにより、前記複数のＲ／Ｔポイント（１４）のうちの前記１つにより受信される前記アップリンク送信の前記少なくとも一部に対応するミューティングされない受信信号と、前記複数のＲ／Ｔポイント（１４）のうちの他のＲ／Ｔポイント（１４）の全てについてのミューティングされた受信信号とを提供し、
前記ワイヤレスデバイス（１８）による前記アップリンク送信の前記少なくとも一部に対応する前記時間ウィンドウの期間中に、前記ミューティングされない受信信号と前記ミューティングされた受信信号とを合成（２０４）して、前記複数のＲ／Ｔポイント（１４）のうちの前記１つにより前記ワイヤレスデバイス（１８）から受信される前記アップリンク送信の前記少なくとも一部の前記サンプルを提供し、
前記複数のＲ／Ｔポイント（１４）の前記少なくともサブセット内の他のＲ／Ｔポイント（１４）の全てについて、前記スケジューリング（２００）、ミューティング（２０２）及び合成（２０４）の動作を反復する、
ようにさらに動作可能である、請求項１２のシステム。
【請求項１３】
前記ワイヤレスデバイス（１８）による前記アップリンク送信の前記少なくとも一部に対応する前記時間ウィンドウは、前記ワイヤレスデバイス（１８）による前記アップリンク送信に含まれるアップリンクサウンディングリファレンスシンボルに対応する時間ウィンドウである、請求項１２のシステム。
【請求項１４】
マルチラテレーションを実行（１０２）するために、前記処理システム（１６）は、
前記ワイヤレスデバイス（１８）と前記複数のＲ／Ｔポイント（１４）の前記少なくともサブセットの各Ｒ／Ｔポイント（１４）との間のレンジについてのレンジ推定結果を、対応するサンプルに基づいて計算（２１０）し、
前記レンジ推定結果に基づいて、前記ワイヤレスデバイス（１８）の前記ロケーションを計算（２１２）する、
ようにさらに動作可能である、請求項１２又は請求項１３のシステム。
【請求項１５】
前記別々のサンプルを取得（１００）するために、前記処理システム（１６）は、
前記ワイヤレスデバイス（１８）によるアップリンク送信をスケジューリング（２００）し、
前記ワイヤレスデバイス（１８）による前記アップリンク送信の少なくとも一部に対応する時間ウィンドウの期間中に、前記複数のＲ／Ｔポイント（１４）により出力される受信信号を合成して前記共有セルについての合成受信信号を提供することに先立って、前記複数のＲ／Ｔポイント（１４）の前記少なくともサブセットにより受信される前記アップリンク送信の前記少なくとも一部の前記別々のサンプルとして、前記時間ウィンドウの期間中に前記複数のＲ／Ｔポイント（１４）の前記少なくともサブセットにより受信される前記受信信号の一部を同時に取得（３０２）する、
ようにさらに動作可能である、請求項１１のシステム。
【請求項１６】
前記ワイヤレスデバイス（１８）による前記アップリンク送信の前記少なくとも一部に対応する前記時間ウィンドウは、前記ワイヤレスデバイス（１８）による前記アップリンク送信に含まれるアップリンクサウンディングリファレンスシンボルに対応する時間ウィンドウである、請求項１５のシステム。
【請求項１７】
前記別々のサンプルを取得するために、前記処理システム（１６）は、前記複数のＲ／Ｔポイント（１４）の前記少なくともサブセットにより受信される前記アップリンク送信の前記少なくとも一部の前記別々のサンプルを時間多重化（３０４）して、時間多重化信号を提供する、ようにさらに動作可能である、請求項１５又は請求項１６のシステム。
【請求項１８】
前記システムは、第１のネットワークノード（３８）及び第２のネットワークノード（４０）を含み、
前記処理システム（１６）は、前記別々のサンプルが前記第１のネットワークノード（３８）において取得され、及び、前記第１のネットワークノード（３８）において取得される前記別々のサンプルに基づいて前記第２のネットワークノード（４０）においてマルチラテレーションが実行されるように、前記第１のネットワークノード（３８）及び前記第２のネットワークノード（４０）にわたって分散され、
前記第１のネットワークノード（３８）は、前記第１のネットワークノード（３８）から前記第２のネットワークノード（４０）へ前記時間多重化信号を送信（３０４）する、ように動作可能である、
請求項１７のシステム。
【請求項１９】
前記第１のネットワークノード（３８）から前記第２のネットワークノード（４０）へ前記時間多重化信号を送信（３０４）するために、前記処理システム（１６）は、前記共有セル（１２）についての前記合成受信信号と共に共通リンク上で前記第１のネットワークノード（３８）から前記第２のネットワークノード（４０）へ前記時間多重化信号を送信する、ようにさらに動作可能である、請求項１８のシステム。
【請求項２０】
マルチラテレーションを実行するために、前記処理システム（１６）は、
前記ワイヤレスデバイス（１８）と前記複数のＲ／Ｔポイント（１４）の前記少なくともサブセットの各Ｒ／Ｔポイント（１４）との間のレンジについてのレンジ推定結果を、対応するサンプルに基づいて計算（３０６）し、
前記レンジ推定結果に基づいて、前記ワイヤレスデバイス（１８）の前記ロケーションを計算（３０８）する、
ようにさらに動作可能である、請求項１５〜１９のいずれかのシステム。
【発明の詳細な説明】
【技術分野】
【０００１】
本開示は、セルラー通信ネットワークにおけるユーザ機器デバイス（ＵＥ）測位に関連し、より具体的には、共有セル環境におけるＵＥ測位に関連する。
【背景技術】
【０００２】
セルラーネットワークにおける高いデータレートを求めて絶えず増加している需要は、その需要を充足するための新たなアプローチを要する。事業者にとってのチャレンジングな問い掛けは、より高いデータレートに向けての要件を充足するようにいかにして既存のセルラーネットワークを進化させるかである。この点において、次のようないくつかアプローチが可能である：（ｉ）既存のマクロ基地局の密度を増加させる、（ｉｉ）マクロ基地局間の協調を増加させる、又は（ｉｉｉ）マクロ基地局グリッド内で高データレートが必要とされるエリアにより小規模な基地局を配備する。最後のアプローチを“ヘテロジーニアスネットワーク”又は“ヘテロジーニアス配備”といい、ヘテロジーニアスネットワーク／配備は、マクロセルレイヤ（即ち、対応するマクロセルへサービスするマクロ基地局のレイヤ）と、１つ以上のスモールセルレイヤ（即ち、対応するスモールセルへサービスするより小規模な又はより低電力な基地局の１つ以上のレイヤ）とを含む。スモールセルを、時に例えばマイクロセル又はピコセルともいうことがある。
【０００３】
共有セル（“同一セル”、“マージセル”又は“ソフトセル”ともいう）という考え方は、ヘテロジーニアスネットワークの１つのあり得る実例である。共有セルでは、ワイヤレスデバイス（例えば、ユーザ機器デバイス（ＵＥ））の視点から、いくつかの受信／送信（Ｒ／Ｔ）ポイントによりサービスされるより小規模な“セル”が１つの実質的なセル（即ち、同一のセル）に見えるように、それらＲ／Ｔポイントが同一のセル識別子（ＩＤ）と共にセル固有信号を共有する。
【０００４】
共有セルでは、各々が自身のカバレッジエリアを伴う複数のＲ／Ｔポイントが、１つのセルＩＤで識別されるより大規模なカバレッジエリアへ一体的にサービスする。典型的には、各Ｒ／Ｔポイントにおいて同一の信号が送信されるが、共有されるセル内の領域（region）間に十分な無線周波数（ＲＦ）隔離がある場合、及び／又はワイヤレスデバイスにて解決不能な競合する情報の受信が回避されるように情報がエア上でスケジューリングされる場合には、これは要件ではない。共有セルのアプローチは、セルＩＤの増殖（proliferation）を回避する。共有セルは、各Ｒ／Ｔポイントがスタンドアローンセルであってワイヤレスデバイスが全般的なカバレッジエリアを通じて移動する際にハンドオフ動作を要したならば生じたはずの、高いシグナリング負荷をも回避する。
【０００５】
共有セルへ接続されているワイヤレスデバイスは、共有セル内の異なる複数のＲ／Ｔポイントを互いに区別しない。一方、共有セルのための中央処理ノード（例えば、３ＧＰＰ（3rd  Generation  Partnership  Project）ＬＴＥ（Long  Term  Evolution）におけるｅＮＢ（enhanced/evolved  Node  B））は、当該中央処理ノードと複数の異なるＲ／Ｔポイントとの間に別々の回線が提供されるかに依存して、アップリンク信号についてＲ／Ｔポイントを互いに区別するかもしれず又は区別しないかもしれない。本開示では、２つの共有セル構成が検討され、次の呼称が使用される：
・マージセル（merged  cell）：マージセルは、各々が共通のセルＩＤを共有し、共通の信号セットを送信し、及びアップリンク方向で処理について共通の返答を提供する多重的なＲ／Ｔポイントにより形成されるタイプの共有セルである。マージセルでは、異なる複数のＲ／Ｔポイントからのアップリンク信号が処理に先立って合成されるという事実に起因して、中央処理ノードは、アップリンク信号についてそれら異なるＲ／Ｔポイントを互いに区別することができない。
・合成セル（combined  cell）：合成セルは、各々が共通のセルＩＤを共有するが、一意な信号セットを送信可能であり、アップリンク方向においてＲ／Ｔポイント（又はそれと等価なもの）ごとに処理について一意な返答を提供する多重的なＲ／Ｔポイント（又はそれと等価なもの）により形成されるタイプの共有セルである。
【０００６】
現在のところ、共有セル配備は、インドアシステム向けに特に関心を集めている。インドアシステムの配備は、モバイルデータスループットの指数関数的な増加、及びマクロシステムが経験している過負荷に対処するための、ポピュラーな解決策になりつつある。モバイルトラフィックの過半数はインドアであることから、顕著な数のモバイルユーザを抱える建物内にインドアシステムを配備することは、インドアユーザ向けのユーザ体験を有意に増加させると同時に、マクロネットワークをオフロードすることにもなる。
【０００７】
典型的なインドア配備において、Ｒ／Ｔポイントは、おおよそ１０〜３０メートル（ｍ）のオーダの距離だけ離隔される。但し、Ｒ／Ｔポイント間の実際の距離は、ＲＦの振る舞いの詳細と個別のインドア環境（例えば、建物）内の部屋のレイアウトとに依存するであろう。従って、典型的なインドア環境において、ワイヤレスデバイスは、共有セル内の複数のＲ／Ｔポイントの比較的近くにあり、それらＲ／Ｔポイントの多くの受信アンテナに対しアップリンク品質の良好な信号を提供するであろう。
【０００８】
セルラーネットワーク内のワイヤレスデバイスのロケーションの使用について多くの潜在的なアプリケーションが存在する。例は次を含む：
・緊急事態サービスのための拡張９１１（Ｅ９１１）ロケーション。この点において、ワイヤレスデバイスロケーション性能ケイパビリティがＦＣＣ（Federal  Communications  Commission）により必須とされている。
・ＵＥ位置の知識に依拠する、商用及びユーザアプリケーション用のＵＥロケーション。
【０００９】
ワイヤレスデバイスのロケーションを判定するために採用することのできる既存の技術は、例えばＧＰＳ（Global  Positioning  System）など、いくつか存在する。しかしながら、多くのケースにおいて、ワイヤレスデバイスは、それら技術へのアクセスを有しないであろう。具体的には、インドア環境において、ワイヤレスデバイスは、通常、ＧＰＳ技術へのアクセスを有しない。マルチラテレーション（multilateration）もまた、旧来のセルラーネットワークにおいて（即ち、非共有セル配備において）ワイヤレスデバイスのロケーションを判定するための既知の技術である。マルチラテレーションの基本的な概念は、対象のワイヤレスデバイスと地理的に分散した既知のロケーションを有するリファレンスポイントのセットとの間での、レンジの判定である。ＬＴＥでは、複数のセル間で測位リファレンス信号（ＰＲＳ）シンボルを比較することにより、ダウンリンクベースのマルチラテレーション技法が使用され得る（即ち、ＯＴＤＯＡ（Observed  Time  Difference  of  Arrival））。また、アップリンクのＬＴＥ信号を、セル間の測距のために使用することができるが（ＵＴＤＯＡ（Uplink  Time  Difference  of  Arrival））、ダウンリンクのＰＲＳリファレンスシンボルとは異なり、アップリンク信号は通常は複数のセル間で聴取可能なように設計されていないことから、これはより困難である。高いレベルではＯＴＤＯＡ及びＵＴＤＯＡに包含される処理は同一（測距及びマルチラテレーション）である一方、どこで処理が実行されるか及び処理に関与する信号について重要な差異が存在する。
【００１０】
ＧＰＳ及びマルチラテレーションが旧来のセルラーネットワークにおけるロケーション判定をワイヤレスデバイスへ提供する一方で、共有セル配備は新たな課題を提示する。例えば、上で議論したように、インドアでの共有セル配備において、ＧＰＳは通常は利用可能でない。さらに、異なる複数のＲ／Ｔポイントからのアップリンク信号が処理の前に合成されるマージセルについて特に、旧来のアップリンクマルチラテレーションを使用することができない。そのため、共有セル配備において、特にマージセル配備において、ワイヤレスデバイスのロケーションを判定するためのシステム及び方法についてのニーズが存在する。
【発明の概要】
【００１１】
本開示は、共有セル配備／システムにおけるワイヤレスデバイスのロケーションを判定するためのシステム及び方法に関連する。いくつかの実施形態において、共有セル環境においてワイヤレスデバイスのロケーションを判定するための、１つ以上のネットワークノードの動作の方法が提供される。その方法は、共有セル内の複数の受信／送信（Ｒ／Ｔ）ポイントの少なくともサブセットによりワイヤレスデバイスから受信される１つ以上のアップリンク送信の少なくとも一部の別々のサンプルを取得すること、を含む。上記別々のサンプルは、上記共有セル内の上記複数のＲ／Ｔポイントの上記少なくともサブセットの各Ｒ／Ｔポイントについて、上記ワイヤレスデバイスから当該Ｒ／Ｔポイントにより受信されるアップリンク送信の少なくとも一部のサンプルを含む。上記方法は、さらに、上記共有セル内の上記複数のＲ／Ｔポイントの上記少なくともサブセットにより上記ワイヤレスデバイスから受信される上記１つ以上のアップリンク送信の上記少なくとも一部の上記別々のサンプルから判定される、上記ワイヤレスデバイスと上記複数のＲ／Ｔポイントの上記少なくともサブセットとの間のレンジについてのレンジ推定結果に基づいて、マルチラテレーションを実行して、それにより上記ワイヤレスデバイスのロケーションを判定すること、を含む。
【００１２】
いくつかの実施形態において、上記別々のサンプルを取得することは、上記ワイヤレスデバイスによるアップリンク送信をスケジューリングすることと、上記ワイヤレスデバイスによる上記アップリンク送信の少なくとも一部に対応する時間ウィンドウの期間中に、上記複数のＲ／Ｔポイントのうちの１つを除く全てにより出力される受信信号をミューティングして、それにより、上記複数のＲ／Ｔポイントのうちの上記１つにより受信される上記アップリンク送信の上記少なくとも一部に対応するミューティングされない受信信号と、上記複数のＲ／Ｔポイントのうちの他のＲ／Ｔポイントの全てについてのミューティングされた受信信号とを提供することと、を含む。上記複数のＲ／Ｔポイントのうちの上記１つは、上記複数のＲ／Ｔポイントの上記少なくともサブセットのうちの１つである。上記別々のサンプルを取得することは、さらに、上記ワイヤレスデバイスによる上記アップリンク送信の上記少なくとも一部に対応する上記時間ウィンドウの期間中に、上記ミューティングされない受信信号と上記ミューティングされた受信信号とを合成して、上記複数のＲ／Ｔポイントのうちの上記１つにより上記ワイヤレスデバイスから受信される上記アップリンク送信の上記少なくとも一部の上記サンプルを提供することと、上記複数のＲ／Ｔポイントの上記少なくともサブセット内の他のＲ／Ｔポイントの全てについて、上記スケジューリング、ミューティング及び合成の動作を反復することと、を含む。さらに、いくつかの実施形態において、上記ワイヤレスデバイスによる上記アップリンク送信の上記少なくとも一部に対応する上記時間ウィンドウは、上記ワイヤレスデバイスによる上記アップリンク送信に含まれるアップリンクサウンディングリファレンスシンボル（ＳＲＳ）に対応する時間ウィンドウである。
【００１３】
さらに、いくつかの実施形態において、マルチラテレーションを実行することは、上記ワイヤレスデバイスと上記複数のＲ／Ｔポイントの上記少なくともサブセットの各Ｒ／Ｔポイントとの間のレンジについてのレンジ推定結果を、対応するサンプルに基づいて計算することと、上記レンジ推定結果に基づいて、上記ワイヤレスデバイスの上記ロケーションを計算することと、を含む。
【００１４】
いくつかの実施形態において、上記別々のサンプルを取得することは、上記ワイヤレスデバイスによるアップリンク送信をスケジューリングすることと、上記ワイヤレスデバイスによる上記アップリンク送信の少なくとも一部に対応する時間ウィンドウの期間中に、上記複数のＲ／Ｔポイントにより出力される受信信号を合成して上記共有セルについての合成受信信号を提供することに先立って、上記複数のＲ／Ｔポイントの上記少なくともサブセットにより受信される上記アップリンク送信の上記少なくとも一部の上記別々のサンプルとして、上記時間ウィンドウの期間中に上記複数のＲ／Ｔポイントの上記少なくともサブセットにより受信される上記受信信号の一部を同時に取得することと、を含む。さらに、いくつかの実施形態において、上記ワイヤレスデバイスによる上記アップリンク送信の上記少なくとも一部に対応する上記時間ウィンドウは、上記ワイヤレスデバイスによる上記アップリンク送信に含まれるアップリンクＳＲＳに対応する時間ウィンドウである。
【００１５】
さらに、いくつかの実施形態において、上記別々のサンプルを取得することは、上記複数のＲ／Ｔポイントの上記少なくともサブセットにより受信される上記アップリンク送信の上記少なくとも一部の上記別々のサンプルを時間多重化して、時間多重化信号を提供すること、をさらに含む。さらにまた、いくつかの実施形態において、上記１つ以上のネットワークノードは、第１のネットワークノード及び第２のネットワークノードを含み、上記別々のサンプルを取得することは、上記第１のネットワークノードにおいて上記別々のサンプルを取得すること、を含み、マルチラテレーションを実行することは、上記第２のネットワークノードにおいてマルチラテレーションを実行すること、を含み、上記別々のサンプルを取得することは、上記第１のネットワークノードから上記第２のネットワークノードへ上記時間多重化信号を送信すること、をさらに含む。
【００１６】
さらにまた、いくつかの実施形態において、上記第１のネットワークノードから上記第２のネットワークノードへ上記時間多重化信号を送信することは、上記共有セルについての上記合成受信信号と共に共通リンク上で上記第１のネットワークノードから上記第２のネットワークノードへ上記時間多重化信号を送信すること、を含む。
【００１７】
いくつかの実施形態において、マルチラテレーションを実行することは、上記ワイヤレスデバイスと上記複数のＲ／Ｔポイントの上記少なくともサブセットの各Ｒ／Ｔポイントとの間のレンジについてのレンジ推定結果を、対応するサンプルに基づいて計算することと、上記レンジ推定結果に基づいて、上記ワイヤレスデバイスの上記ロケーションを計算することと、を含む。
【００１８】
共有セル環境においてワイヤレスデバイスのロケーションを判定するように動作可能なシステムの実施形態もまた開示される。いくつかの実施形態において、そのシステムは、共有セル内の複数のＲ／Ｔポイントの少なくともサブセットによりワイヤレスデバイスから受信される１つ以上のアップリンク送信の少なくとも一部の別々のサンプルを取得する、ように動作可能な、セルラー通信ネットワークの上記共有セルのための処理システム、を含み、上記別々のサンプルは、上記共有セル内の上記複数のＲ／Ｔポイントの上記少なくともサブセットの各Ｒ／Ｔポイントについて、上記ワイヤレスデバイスから当該Ｒ／Ｔポイントにより受信されるアップリンク送信の少なくとも一部のサンプルを含み、上記処理システムは、上記共有セル内の上記複数のＲ／Ｔポイントの上記少なくともサブセットにより上記ワイヤレスデバイスから受信される上記１つ以上のアップリンク送信の上記少なくとも一部の上記別々のサンプルから判定される、上記ワイヤレスデバイスと上記複数のＲ／Ｔポイントの上記少なくともサブセットとの間のレンジについてのレンジ推定結果に基づいて、マルチラテレーションを実行して、それにより上記ワイヤレスデバイスの上記ロケーションを判定する、ように動作可能である。
【００１９】
いくつかの実施形態において、上記別々のサンプルを取得するために、上記処理システムは、上記ワイヤレスデバイスによるアップリンク送信をスケジューリングし、上記ワイヤレスデバイスによる上記アップリンク送信の少なくとも一部に対応する時間ウィンドウの期間中に、上記複数のＲ／Ｔポイントのうちの１つであって上記複数のＲ／Ｔポイントの上記少なくともサブセットのうちの１つである当該１つを除く全てにより出力される受信信号をミューティングして、それにより、上記複数のＲ／Ｔポイントのうちの上記１つにより受信される上記アップリンク送信の上記少なくとも一部に対応するミューティングされない受信信号と、上記複数のＲ／Ｔポイントのうちの他のＲ／Ｔポイントの全てについてのミューティングされた受信信号とを提供し、上記ワイヤレスデバイスによる上記アップリンク送信の上記少なくとも一部に対応する上記時間ウィンドウの期間中に、上記ミューティングされない受信信号と上記ミューティングされた受信信号とを合成して、上記複数のＲ／Ｔポイントのうちの上記１つにより上記ワイヤレスデバイスから受信される上記アップリンク送信の上記少なくとも一部の上記サンプルを提供し、上記複数のＲ／Ｔポイントの上記少なくともサブセット内の他のＲ／Ｔポイントの全てについて、上記スケジューリング、ミューティング及び合成の動作を反復する、ようにさらに動作可能である。さらに、いくつかの実施形態において、上記ワイヤレスデバイスによる上記アップリンク送信の上記少なくとも一部に対応する上記時間ウィンドウは、上記ワイヤレスデバイスによる上記アップリンク送信に含まれるアップリンクＳＲＳに対応する時間ウィンドウである。
【００２０】
いくつかの実施形態において、マルチラテレーションを実行するために、上記処理システムは、上記ワイヤレスデバイスと上記複数のＲ／Ｔポイントの上記少なくともサブセットの各Ｒ／Ｔポイントとの間のレンジについてのレンジ推定結果を、対応するサンプルに基づいて計算し、上記レンジ推定結果に基づいて、上記ワイヤレスデバイスの上記ロケーションを計算する、ようにさらに動作可能である。
【００２１】
いくつかの実施形態において、上記別々のサンプルを取得するために、上記処理システムは、上記ワイヤレスデバイスによるアップリンク送信をスケジューリングし、上記ワイヤレスデバイスによる上記アップリンク送信の少なくとも一部に対応する時間ウィンドウの期間中に、上記複数のＲ／Ｔポイントにより出力される受信信号を合成して上記共有セルについての合成受信信号を提供することに先立って、上記複数のＲ／Ｔポイントの上記少なくともサブセットにより受信される上記アップリンク送信の上記少なくとも一部の上記別々のサンプルとして、上記時間ウィンドウの期間中に上記複数のＲ／Ｔポイントの上記少なくともサブセットにより受信される上記受信信号の一部を同時に取得する、ようにさらに動作可能である。さらに、いくつかの実施形態において、上記ワイヤレスデバイスによる上記アップリンク送信の上記少なくとも一部に対応する上記時間ウィンドウは、上記ワイヤレスデバイスによる上記アップリンク送信に含まれるアップリンクＳＲＳに対応する時間ウィンドウである。
【００２２】
いくつかの実施形態において、上記別々のサンプルを取得するために、上記処理システムは、上記複数のＲ／Ｔポイントの上記少なくともサブセットにより受信される上記アップリンク送信の上記少なくとも一部の上記別々のサンプルを時間多重化して、時間多重化信号を提供する、ようにさらに動作可能である。さらに、いくつかの実施形態において、上記システムは、第１のネットワークノード及び第２のネットワークノードを含み、上記処理システムは、上記別々のサンプルが上記第１のネットワークノードにおいて取得され、及び、上記第１のネットワークノードにおいて取得される上記別々のサンプルに基づいて上記第２のネットワークノードにおいてマルチラテレーションが実行されるように、上記第１のネットワークノード及び上記第２のネットワークノードにわたって分散され、上記第１のネットワークノードは、上記第１のネットワークノードから上記第２のネットワークノードへ上記時間多重化信号を送信する、ように動作可能である。さらに、いくつかの実施形態において、上記第１のネットワークノードから上記第２のネットワークノードへ上記時間多重化信号を送信するために、上記処理システムは、上記共有セルについての上記合成受信信号と共に共通リンク上で上記第１のネットワークノードから上記第２のネットワークノードへ上記時間多重化信号を送信する、ようにさらに動作可能である。
【００２３】
いくつかの実施形態において、マルチラテレーションを実行するために、上記処理システムは、上記ワイヤレスデバイスと上記複数のＲ／Ｔポイントの上記少なくともサブセットの各Ｒ／Ｔポイントとの間のレンジについてのレンジ推定結果を、対応するサンプルに基づいて計算し、上記レンジ推定結果に基づいて、上記ワイヤレスデバイスの上記ロケーションを計算する、ようにさらに動作可能である。
【００２４】
当業者は、添付図面の図との関連において実施形態の以下の詳細な説明を読んだ後に、本開示のスコープを認識し、及びそれらの追加的な観点を理解するであろう。
【図面の簡単な説明】
【００２５】
本明細書に取り入れられその一部をなす添付図面の図は、本開示の複数の観点を示しており、その説明と共に、本開示の原理の説明に供される。
【００２６】
【図１】本開示のいくつかの実施形態に従ってワイヤレスデバイスのロケーションを判定するためにマルチラテレーションが使用される、複数の共有セルを含むセルラーネットワークの１つの例を示している。
【図２】本開示のいくつかの実施形態に従ってワイヤレスデバイスのロケーションを判定するための図１の受信／送信（ＲＸ／ＴＸ）処理システムの動作を示すフローチャートである。
【図３】本開示のいくつかの実施形態に係るＲＸ／ＴＸ処理システムをより詳細に示している。
【図４】本開示のいくつかの実施形態に係る図３のＲＸ／ＴＸ処理システムの動作を示している。
【図５】本開示のいくつかの他の実施形態に係るＲＸ／ＴＸ処理システムをより詳細に示している。
【図６】本開示のいくつかの実施形態に係る図５のＲＸ／ＴＸ処理システムの動作を示している。
【図７】本開示のいくつかの他の実施形態に係るＲＸ／ＴＸ処理システムをより詳細に示している。
【発明を実施するための形態】
【００２７】
以下に説示する実施形態は、それら実施形態を当業者が実践することを可能にし及びそれら実施形態の実践の最良の形態を例示する情報を表す。添付図面の図を踏まえて以下の説明を読めば、当業者は、本開示の概念を理解し、ここで具体的には扱われていないそれら概念の応用を認識するであろう。それら概念及び応用は、本開示及び添付の特許請求の範囲のスコープの範囲内に入るものと理解されるべきである。
【００２８】
本開示は、共有セル配備／システムにおいてワイヤレスデバイスのロケーションを判定するためのシステム及び方法に関連する。ここで説明されるシステム及び方法は、インドア環境に特に良好に適するが、それらに限定されない。この点において、図１は、複数の共有セル１２−１〜１２−Ｎ（概して、ここではまとめて（複数の）共有セル１２として、及び個別に共有セル１２として言及される）を含むセルラーネットワーク１０の１つの例を示している。共有セル１２−１は、複数の受信／送信（Ｒ／Ｔ）ポイント１４−１（１）〜１４−１（５）（概して、ここではまとめて共有セル１２−１の（複数の）Ｒ／Ｔポイント１４−１として、又は個別に共有セル１２−１のＲ／Ｔポイント１４−１として言及される）を含み、又はそれらによりサービスされる。同様に、他の共有セル１２−２〜１２−Ｎは、対応するＲ／Ｔポイントを含み、又はそれらによりサービスされる。具体的には、共有セル１２−２は、複数のＲ／Ｔポイント１４−２（１）〜１４−２（５）（概して、ここではまとめて共有セル１２−２の（複数の）Ｒ／Ｔポイント１４−２として、又は個別に共有セル１２−２のＲ／Ｔポイント１４−２として言及される）を含み、又はそれらによりサービスされ、共有セル１２−Ｎは、複数のＲ／Ｔポイント１４−Ｎ（１）〜１４−Ｎ（５）（概して、ここではまとめて共有セル１２−Ｎの（複数の）Ｒ／Ｔポイント１４−Ｎとして、又は個別に共有セル１２−ＮのＲ／Ｔポイント１４−Ｎとして言及される）を含み、又はそれらによりサービスされる。Ｒ／Ｔポイント１４−１〜１４−Ｎは、より広く、ここでは、まとめて（複数の）Ｒ／Ｔポイント１４として、及び個別にＲ／Ｔポイント１４として言及される。とりわけ、この例では共有セル１２の各々が５つのＲ／Ｔポイント１４を含んでいるものの、これは一例に過ぎない。共有セル１２の各々は、２つ以上のいかなる数のＲ／Ｔポイント１４を含むこともでき、但し、好適には、各々がマルチラテレーションを支援するためのいくつかのＲ／Ｔポイント１４を含む。さらに、複数の共有セル１２が異なる数のＲ／Ｔポイント１４を含んでもよい。
【００２９】
Ｒ／Ｔポイント１４は、概して無線周波数（ＲＦ）フロントエンドであって、そのため例えばアンテナ、増幅器及び／又はフィルタなどといったコンポーネントを含む。共有セル１２−１〜１２−Ｎは、それぞれの受信／送信（ＲＸ／ＴＸ）処理システム１６−１〜１６−Ｎ（概して、ここではまとめて（複数の）ＲＸ／ＴＸ処理システム１６として、及び個別にＲＸ／ＴＸ処理システム１６として言及される）を有する。具体的な作り込みに依存して、各ＲＸ／ＴＸ処理システム１６は、単一のネットワークノード（例えば、ｅＮＢ（enhanced/evolved  Node  B））として若しくは単一のネットワークノード内に実装されてもよく、又は、複数のネットワークノード（例えば、ＩＲＵ（Indoor  or  Intermediate  Radio  Unit）及びベースバンド／デジタルユニット）として若しくは複数のネットワークノード内に実装されてもよく、例えばベースバンド／デジタルユニットはｅＮＢ内に実装されてもよい。従って、ＲＸ／ＴＸ処理システム１６は、ハードウェアとして又はハードウェア及びソフトウェアの組み合わせとして実装される。
【００３０】
動作中に、ダウンリンク送信について、ＲＸ／ＴＸ処理システム１６は、ダウンリンク信号を生成し、及び共有セル１２内のＲ／Ｔポイント１４の各々へそのダウンリンク信号を送信のために提供する。逆に、アップリンク受信について、共有セル１２内のＲ／Ｔポイント１４は、アップリンク周波数帯域において各々受信を行い、それぞれの受信信号をＲＸ／ＴＸ処理システム１６へ出力する。特に共有セル１２のマージセル実装については、ＲＸ／ＴＸ処理システム１６において、Ｒ／Ｔポイント１４からの受信信号は、合成受信信号を提供するように合成される。そして、合成受信信号がＲＸ／ＴＸ処理システム１６により処理される。
【００３１】
共有セル１２内のアップリンク信号は、共有セル１２内のＲ／Ｔポイント１４のうちの複数において容易に検出可能であることが予期される。既知のロケーションを有する異なる複数のＲ／Ｔポイント１４においてアップリンク信号が検出可能であり又は“聴取可能（hearable）”であることから、これは、ある中央ノードにおける測定結果に基づいてアップリンクマルチラテレーションを実行するために理想的な状況を提供し、その中央ノードは、このケースではＲＸ／ＴＸ処理システム１６である。中央ノードの使用は、ノード間のタイミング不一致の問題及び情報共有の問題を回避する。ここで使用されるところによれば、マルチラテレーションは、３つ以上のデータポイント（即ち、距離又はレンジ）を使用してワイヤレスデバイスのロケーションを判定する、任意の技法である。
【００３２】
しかしながら、複数のＲ／Ｔポイント１４からの別々の受信信号が処理に先立って合成されることから、旧来の技術を用いると、アップリンクのマルチラテレーションは、共有セル１２内でワイヤレスデバイス（例えば、ユーザ機器デバイス（ＵＥ））のロケーションを判定するために利用可能ではない。ここで説明されるシステム及び方法は、ワイヤレスデバイスによる１つ以上のアップリンク送信の少なくとも一部の別々のサンプルを、ＲＸ／ＴＸ処理システム１６により取得し、そしてマルチラテレーション技法を用いてワイヤレスデバイスのロケーションを計算するために利用することを可能にする。
【００３３】
この点において、図２は、本開示のいくつかの実施形態に従ってワイヤレスデバイスのロケーションを判定するための、ＲＸ／ＴＸ処理システム１６の動作を示すフローチャートである。とりわけ、その処理は、複数のワイヤレスデバイスについて、例えば並列的に実行され得る。図示したように、ＲＸ／ＴＸ処理システム１６は、共有セル１２内の複数のＲ／Ｔポイント１４の少なくともサブセットにより対象のワイヤレスデバイスから受信される１つ以上のアップリンク送信の別々のサンプルを取得する（ステップ１００）。いくつかの実施形態では、Ｒ／Ｔポイント１４の全てについてサンプルが取得される。一方、他の実施形態では、Ｒ／Ｔポイント１４のサブセットのみについてサンプルが取得される。例えば、Ｒ／Ｔポイント１４のうちのいくつかは、弱い受信信号強度を有するかもしれず、又は、ワイヤレスデバイスからのアップリンク送信を基準として弱い信号強度を有するものと予期される。そのため、それらＲ／Ｔポイント１４についてサンプルは取得されないかもしれない。言い換えると、サンプルは、ワイヤレスデバイスに関し何らかの予め定義される閾値よりも大きい受信信号強度（即ち、強い受信信号強度）を有するか又は有するものと予期されるＲ／Ｔポイント１４についてのみ取得され得る。
【００３４】
サンプルを取得するためにどのアップリンク送信又はアップリンク送信のどの部分が使用されてもよいものの、いくつかの具体的な実施形態において、それらサンプルは、Ｒ／Ｔポイント１４の少なくともサブセットからの受信信号の、アップリンク送信内のアップリンクサウンディングリファレンスシンボル（ＳＲＳ）に対応する部分のサンプルである。以下に詳細に説明するように、いくつかの実施形態では、ミューティングされないＲ／Ｔポイント１４からの受信信号のみを、結果として得られる合成信号が表現するように、ＲＸ／ＴＸ処理システム１６での合成に先立って、Ｒ／Ｔポイント１４のうちの１つを除く全てからの受信信号を順次ミューティングすることにより、別々のサンプルが取得される。他の実施形態では、ＲＸ／ＴＸ処理システム１６での合成に先立って、Ｒ／Ｔポイント１４の少なくともサブセットにより出力される受信信号からサンプルを抽出することにより、別々のサンプルが取得される。
【００３５】
一旦別々のサンプルが取得されると、ＲＸ／ＴＸ処理システム１６は、それらサンプルに基づいて、マルチラテレーションを実行する（ステップ１０２）。とりわけ、Ｒ／Ｔポイント１４の地理的なロケーションは既知である。加えて、Ｒ／Ｔポイント１４の各々と、統合者（aggregator）（即ち、ＲＸ／ＴＸ処理システム１６又はＲＸ／ＴＸ処理システム１６の何らかの特定のコンポーネント）との間の遅延が既知である。具体的には、サンプルが取得された各Ｒ／Ｔポイント１４について、ＲＸ／ＴＸ処理システム１６は、ワイヤレスデバイスと当該Ｒ／Ｔポイント１４との間のレンジについてのレンジ推定結果を、当該Ｒ／Ｔポイント１４について取得されたサンプルに基づいて計算する。より具体的には、共有セル１２の範囲内で、ワイヤレスデバイスは、複数のＲ／Ｔポイント１４からダウンリンクリファレンス信号を受信することになる。ダウンリンク信号の構造から、ワイヤレスデバイスは、当分野でよく知られている通りに、アップリンク信号を生成するための自身のタイミングリファレンス（ｔ０）を判定する。このタイミングリファレンス（ｔ０）は、ワイヤレスデバイスとどの１つのＲ／Ｔポイント１４との間の遅延にも対応しない可能性が高く、その点において、非共有セルのケースでのタイミングリファレンス（ｔ０）とは相違する。Ｒ／Ｔポイント１４により受信されるワイヤレスデバイスからのアップリンク送信の少なくとも一部のサンプルを用いて、ＲＸ／ＴＸ処理システム１６は、そのＲ／Ｔポイント１４における受信信号とタイミングリファレンス（ｔ０）との間の到来時間差（ＴＤＯＡ）を判定する。このＴＤＯＡは、ワイヤレスデバイスとＲ／Ｔポイント１４との間のレンジについてのレンジ推定結果と等価である。サンプルが取得されたＲ／Ｔポイント１４の各々について計算されるレンジ推定結果又は時間差は、次いで、マルチラテレーション技法を用いてワイヤレスデバイスのロケーションを計算するために、ＲＸ／ＴＸ処理システム１６により利用される。マルチラテレーションは、当分野においてよく知られており、そのため、その詳細はここでは繰り返されない。
【００３６】
図３は、本開示のいくつかの実施形態に係るＲＸ／ＴＸ処理システム１６をより詳細に示している。図３の実施形態において、ＲＸ／ＴＸ処理システム１６は、互いに異なるＲ／Ｔポイント１４においてアップリンク送信の少なくとも一部（例えば、アップリンクシンボル）の順次のミューティングを実行するように動作し、それにより、ワイヤレスデバイス１８とそれらＲ／Ｔポイント１４との間のレンジについてのレンジ推定結果Ｒ１〜ＲＮを取得する。これを、ここでは順次のアップリンクＴＤＯＡ（ＵＴＤＯＡ）という。インドアシナリオについて、取得インターバルにわたるワイヤレスデバイス１８の移動は小さく、位置の推定にわずかな誤差しか取り込まないであろう。順次のミューティングの使用は、依然として全てのＲ／Ｔポイント１４にわたるデータ統合を実行し、及び統合ポイント（例えば、合成器２０）と処理ユニット（例えば、デジタル処理サブシステム２６）との間の帯域幅を保全しながら、個別のＲ／Ｔポイント１４からデータを収集し選択することを可能にする。
【００３７】
図３に示したように、ＲＸ／ＴＸ処理システム１６は、合成及びラインミューティングサブシステム２０と、ＲＦ処理サブシステム２２と、アナログ処理サブシステム２４と、スケジューラ２８を含むデジタル処理サブシステム２６とを含む。通常のアップリンク動作について、ワイヤレスデバイス１８からのアップリンク送信は、Ｒ／Ｔポイント１４のうちの少なくともいくつかにより受信される。Ｒ／Ｔポイント１４は、それぞれの受信信号をＲＸ／ＴＸ処理システム１６へ出力する。ＲＸ／ＴＸ処理システム１６において、合成及びラインミューティングサブシステム２０は、Ｒ／Ｔポイント１４からの別々の受信信号を合成して、合成受信信号を提供する。ＲＦ処理サブシステム２２は、中間周波数又はベースバンド周波数のいずれかの合成信号を提供するための、例えばフィルタ、ミキサ、ダウンコンバータ、又は合成受信信号を処理する類似のコンポーネントを含む。次いで、アナログ処理サブシステム２４は、例えばアナログ−デジタル変換といった処理を実行して、中間周波数又はベースバンド周波数のデジタル信号を提供する。次いで、このデジタル信号は、１つ以上の所望のベースバンド処理動作（例えば、高速フーリエ変換（ＦＦＴ）、復調、復号など）に従って、デジタル処理サブシステム２６により処理される。
【００３８】
以下でより詳細に議論されるように、ワイヤレスデバイス１８のロケーションを推定するために、スケジューラ２８は、ワイヤレスデバイス１８によるアップリンク送信をスケジューリングする。スケジューラ２８は、ワイヤレスデバイス１８からのアップリンク送信の少なくとも一部の受信に対応する時間ウィンドウの期間中に複数のＲ／Ｔポイント１４のうちの１つを除く全てからの受信信号をミューティングすることを、合成及びラインミューティングサブシステム２０へ命令する。例えば、いくつかの実施形態において、アップリンク送信は、アップリンクＳＲＳを含み、合成及びラインミューティングサブシステム２０は、アップリンクＳＲＳの受信に対応する時間ウィンドウの期間中に複数のＲ／Ｔポイント１４の１つを除く全てからの受信信号をミューティングすることを命令される。ミューティングの結果として、合成及びラインミューティングサブシステム２０は、ワイヤレスデバイス１８からのアップリンク送信の、Ｒ／Ｔポイント１４のうちのミューティングされない１つにより受信される少なくとも一部を表現する合成受信信号を出力する。次いで、その合成された信号は、対応する中間周波数又はベースバンドの信号をデジタル処理サブシステム２６へ提供するために、ＲＦ処理サブシステム２２及びアナログ処理サブシステム２４により処理される。デジタル処理サブシステム２６は、その信号を処理して、タイミングリファレンス（ｔ０）を基準とするタイミング誤差を判定し、それがワイヤレスデバイス１８と当該Ｒ／Ｔポイント１４との間のレンジＲについてのレンジ推定結果である。この処理が反復されて、共有セル１２内のＲ／Ｔポイント１４の全て又は少なくともサブセットについてレンジ推定結果が取得される。
【００３９】
とりわけ、Ｒ／Ｔポイント１４のうちのいくつかにおいては、ワイヤレスデバイス１８からのアップリンク送信の受信信号強度は恐らく弱いであろう（例えば、予め決定される閾値よりも低い）。そのケースでは、上の処理は、ワイヤレスデバイス１８からの受信信号が強く（例えば、予め決定される閾値よりも大きい）又は強いと予期されるＲ／Ｔポイント１４についてのみ実行されてよい。例えば、インドア環境では、通常、共有セル１２内のＲ／Ｔポイント１４の全てではないにしてもほとんどにおいて、強力な信号が現れるものと予期することができる。よって、いくつかの実施形態において、上の処理は、共有セル１２内のＲ／Ｔポイント１４の全てについて実行される。しかしながら、いくつかのシナリオでは、共有セル１２内のＲ／Ｔポイント１４のうちのいくつかにおいて受信信号強度は弱いか又は弱いものと予期され、そのケースでは上の処理は受信信号強度が強いか又は強いものと予期されるＲ／Ｔポイント１４のみについて実行される。
【００４０】
Ｒ／Ｔポイント１４についてのレンジ推定結果が一旦取得されると、デジタル処理サブシステム２６は、マルチラテレーション技法を用いて、ワイヤレスデバイス１８のロケーション又はより具体的にはロケーションの推定値を計算する。マルチラテレーションは、当業者によく知られている。そのため、マルチラテレーションの詳細はここでは繰り返されない。
【００４１】
典型的には、ワイヤレスデバイス１８がインドアにある場合、ワイヤレスデバイス１８は、不動であるか又は相対的に低いモビリティを有する。ランニングの速度（時速１３キロメートル（ｋｍ／時）まで）にあるとしても、ワイヤレスデバイス１８の移動は秒間３．６メートル（ｍ）未満であろう。従って、マルチラテレーション処理のために必要とされるレンジ推定結果の値の全てを、通常は例えば１秒以下である時間内に取得できるとすれば、良好か優秀と言える位置推定結果を獲得することができる。
【００４２】
どういったアップリンク信号からも、タイミング推定結果を取得することができる。典型的には、ＬＴＥ（Long  Term  Evolution）において、この目的のためにアップリンクＳＲＳが使用される。その理由は、それらが広帯域である（よって、良好なレンジ分解能を提供し、フェージングの影響を受けにくい）こと、それらがユーザデータを搬送しないこと、及び、それらが周期的であって発生の都度明示的にスケジューリングする必要が無いことである。但し、ここで説明される概念は、アップリンク信号がスケジューリング可能であってワイヤレスデバイスごとに分離可能であるならば、いかなるアップリンク信号を使用することもできる。
【００４３】
図４は、本開示のいくつかの実施形態に係る、図３のＲＸ／ＴＸ処理システム１６の動作を示している。図４に示した処理は、本開示のいくつかの実施形態に係る、図２の処理のより詳細な例示でもある。図示したように、異なる複数のＲ／Ｔポイント１４についてのサンプルを取得するために、ＲＸ／ＴＸ処理システム１６、具体的にはスケジューラ２８は、ワイヤレスデバイス又はＵＥ１８によるアップリンク送信をスケジューリングする（ステップ２００）。ＲＸ／ＴＸ処理システム１６は、ワイヤレスデバイス１８によるアップリンク送信の少なくとも一部に対応する時間ウィンドウの期間中に、共有セル１２内のＲ／Ｔポイント１４のうちの１つを除く全てにより出力される受信信号をミューティングする（ステップ２０２）。例えば、アップリンクＳＲＳが使用される場合、ＲＸ／ＴＸ処理システム１６は、ワイヤレスデバイス１８からのアップリンク送信においてアップリンクＳＲＳが受信されるものと予期される時間ウィンドウの期間中に、共有セル１２内のＲ／Ｔポイント１４の１つを除く全てにより出力される受信信号をミューティングする。とりわけ、（例えば、共有セル１２内のＲ／Ｔポイント１４のいくつかにおける弱い受信信号強度に起因して）レンジ推定結果が共有セル１２内のＲ／Ｔポイント１４のサブセットのみについて取得されることになる場合、受信信号がミューティングされない上記１つのＲ／Ｔポイント１４（即ち、ミューティングされないＲ／Ｔポイント１４）は、Ｒ／Ｔポイント１４のうちのレンジ推定結果が取得される対象のサブセット内のＲ／Ｔポイント１４の１つである。
【００４４】
図３に関して上で議論したように、ミューティングは、ＲＸ／ＴＸ処理システム１６内で、例えば合成及びラインミューティングサブシステム２０により実行されてよい。しかしながら、いくつかの代替的な実施形態において、ミューティングは、Ｒ／Ｔポイント１４自身において実行されてもよい。例えば、ＲＸ／ＴＸ処理システム１６は、適切なＲ／Ｔポイント１４へ、適切な時間ウィンドウの期間中にそれらの出力をミューティングするように命令してもよい。
【００４５】
ＲＸ／ＴＸ処理システム１６は、ミューティングされない信号及び受信信号を合成して、ミューティングされないＲ／Ｔポイント１４により受信されるアップリンク送信の少なくとも一部のサンプルを提供する（ステップ２０４）。こうして、結果として得られる合成受信信号は、ミューティングが行われる間の時間ウィンドウの期間中にミューティングされないＲ／Ｔポイント１４により受信されるアップリンク送信の少なくとも一部を表現する。図３に関して上で議論したように、この合成及びミューティングは、合成及びラインミューティングサブシステム２０により実行されてよい。ＲＸ／ＴＸ処理システム１６は、共有セル１２内の、Ｒ／Ｔポイント１４の全て又はＲ／Ｔポイント１４の所望のサブセットについてサンプルを取得済みかを判定する（ステップ２０６）。そうでない場合、ＲＸ／ＴＸ処理システム１６は、次のＲ／Ｔポイント１４についてステップ２００〜２０４を反復する（ステップ２０８）。留意すべきこととして、Ｒ／Ｔポイント１４の全てについて別々のサンプルを取得する動作の全体を実行するための時間ウィンドウは、例えばワイヤレスデバイス１８のモビリティといった要因に依存し得る。例えば、インドア環境において、ワイヤレスデバイス１８は、典型的には、アウトドア環境の場合よりも低速で移動する。そのため、別々のサンプルを取得するための時間ウィンドウを、高いモビリティを有するワイヤレスデバイス１８について必要とされるはずのものと比較して、相対的に長くすることができる。
【００４６】
この例において、一旦サンプルの全てが取得済みとなると、ＲＸ／ＴＸ処理システム１６及び特にデジタル処理サブシステム２６は、ワイヤレスデバイス１８とＲ／Ｔポイント１４との間のレンジについてのレンジ推定結果を、対応するサンプルに基づいて計算する（ステップ２１０）。とりわけ、図４のステップ群は、動作が信号内の関係する情報を破壊しない限り、いかなる所望の順序で実行されてもよく、図示した順序には限定されない。例えば、ステップ２１０におけるレンジ推定の計算は、ステップ２０４の後、ステップ２０８において処理が反復される前に実行されてもよい。上で議論したように、レンジ推定結果は、タイミングリファレンス（ｔ０）を基準とするタイミングオフセットとして計算され得る。一旦レンジ推定結果が計算されると、ＲＸ／ＴＸ処理システム１６及び特にデジタル処理サブシステム２６は、ワイヤレスデバイス１８のロケーション、又はより具体的にはワイヤレスデバイス１８のロケーションの推定値を、マルチラテレーション技法を用いて、レンジ推定結果に基づいて計算する（ステップ２１２）。
【００４７】
上で議論したように、いくつかの実施形態において、スケジューラ２８は、対象のワイヤレスデバイス１８によるアップリンク送信を明示的にスケジューリングする。そのアップリンク送信又はそのアップリンク送信の適当な部分がいつ到来すると予期されるかに基づいて、スケジューラ２８は、サンプル及び従ってレンジ推定結果が望まれる選択された１つのＲ／Ｔポイント１４を除く全てのＲ／Ｔポイント１４からの受信信号をミューティングせよという受信ミューティング命令を生成する。この処理は、Ｒ／Ｔポイント１４の集合全体を巡回しつつ、恐らくは事前の知識又は予期される劣悪な信号強度の予想に基づいてＲ／Ｔポイント１４のいくつかをスキップしながら、反復される。いくつかの実施形態において、ミューティングの時間長は、アップリンク送信の選択部分のみを空白化（blank  out）するために十分であるが、ミューティングの時間長は、好適には、アップリンク送信の残りの部分への影響が最小となるように設計される。
【００４８】
具体的な例として、ＬＴＥのアップリンクＳＲＳシンボルが考慮される。この信号は、周期的であり、典型的には２０ミリ秒（ｍｓ）という周期を伴う。複数のワイヤレスデバイス１８がこの信号へ符号及び周波数で多重化される。ワイヤレスデバイス１８の異なるグループがこの信号の異なるオフセットを使用するであろう。ＳＲＳは、常に、ＬＴＥアップリンクサブフレーム内の最後のシンボルである。このケースでは、ミューティング時間長は、アップリンクデータ及びアップリンク送信の残りの部分、即ちアップリンクＳＲＳを含む部分以外のサブフレーム内のシンボルピリオド内の部分、の受信への影響を最小限にするように設計され得る。対象のワイヤレスデバイス１８について、スケジューラ２８は、複数のＳＲＳピリオドの進行にわたって各Ｒ／Ｔポイント１４からＳＲＳを順次取得するために、各Ｒ／Ｔポイント１４についてのミューティング命令を特定する。例えば、共有セル１２内に８つのＲ／Ｔポイント１４が存在し、ＳＲＳピリオドが２０ｍｓである場合、フルセットのＳＲＳ値を獲得するために、８×２０＝１６０ｍｓが掛かるであろう（以下のテーブル１参照）。
【００４９】
スケジューラ２８は、測位評価のためにワイヤレスデバイス１８をグループ化して、特定のＳＲＳシンボルを使用することもでき、それにより、所要のミューティングアクティビティの量が低減される。
【００５０】
各ＳＲＳシンボルについて、通常のワイヤレスデバイス１８の信号の抽出及びレンジ推定が実行される。そのデータは、複数のＲ／Ｔポイント１４のセットにわたってレンジ推定結果の完全なセットが利用可能となるまで記憶される。そして、マルチラテレーションが実行され、各ＵＥについて１つの位置推定結果が取得される。
【００５１】
この処理は、マージセル及び合成セルの混成から構築される共有セル群へ、単純な形で拡張されることができる。
【００５２】
【表１】
2018526927.tif 000003
【００５３】
上の実施形態では、異なる複数のＲ／Ｔポイント１４についてサンプル及び従ってレンジ推定結果を取得するために、順次的な処理が利用される。次に、議論はいくつかの他の実施形態へ移り、そこでは、ワイヤレスデバイス１８からの同一のアップリンク送信を用いて、異なるＲ／Ｔポイント１４についてのサンプルが同時に取得される。それら実施形態において、ＲＸ／ＴＸ処理システム１６は、複数のＲ／Ｔポイント１４からの受信信号の合成に先立って、適切な処理を用いて、それらＲ／Ｔポイント１４についての別々のサンプルを取得する、ように構成される。より具体的には、各Ｒ／Ｔポイント１４についての対象のアップリンク送信（又はそれらの一部）の選択的なミューティングは適用されない。むしろ、アップリンク送信のサンプル（即ち、レンジ推定が望まれる各Ｒ／Ｔポイント１４についての、当該Ｒ／Ｔポイント１４から処理システム１６へ出力される受信信号の、ワイヤレスデバイス１８からのアップリンク送信に対応する部分又はその所望の一部
）が同時に捕捉される。いくつかの実施形態において、それらサンプルは、次いで、専用のストリーム又は信号へ時間多重化され、デジタル処理サブシステム２６へ提供される。異なる複数のＲ／Ｔポイント１４についてのサンプルの補足と並列的に、ＲＸ／ＴＸ処理システム１６は、通常の処理のために、それらＲ／Ｔポイント１４からの受信信号を合成する。
【００５４】
これら実施形態に係るＲＸ／ＴＸ処理システム１６の１つの例が図に示されている。図５に示したように、ＲＸ／ＴＸ処理システム１６は、合成器３０と、ＲＦ処理サブシステム２２と、アナログ処理サブシステム２４と、デジタル処理サブシステム２６とを含む。通常のアップリンク動作について、ワイヤレスデバイス１８からのアップリンク送信は、Ｒ／Ｔポイント１４のうちの少なくともいくつかにより受信される。Ｒ／Ｔポイント１４は、それぞれの受信信号をＲＸ／ＴＸ処理システム１６へ出力する。ＲＸ／ＴＸ処理システム１６において、合成器３０は、Ｒ／Ｔポイント１４からの別々の受信信号を合成して、合成受信信号を提供する。ＲＦ処理サブシステム２２は、中間周波数又はベースバンド周波数のいずれかの合成信号を提供するための、例えばフィルタ、ミキサ、ダウンコンバータ、又は合成受信信号を処理する類似のコンポーネントを含む。次いで、アナログ処理サブシステム２４は、例えばアナログ−デジタル変換といった処理を実行して、中間周波数又はベースバンド周波数のデジタル信号を提供する。次いで、このデジタル信号は、１つ以上の所望のベースバンド処理動作（例えば、ＦＦＴ、復調、復号など）に従って、デジタル処理サブシステム２６により処理される。
【００５５】
ワイヤレスデバイス１８のロケーションを判定するために、スケジューラ２８は、ワイヤレスデバイス１８についてアップリンク送信をスケジューリングする。スケジューリングされるアップリンク送信は、ワイヤレスデバイス１８のためにスケジューリングされるいかなるアップリンク送信であってもよく、又は、特にワイヤレスデバイス１８のロケーションを判定するためにスケジューリングされるアップリンク送信であってもよい。アップリンク送信が受信されるものと予期される時間ウィンドウ、又はアップリンク送信の所望の部分が受信されるものと予期される時間ウィンドウ（例えば、アップリンクＳＲＳに対応する時間ウィンドウ）の期間中に、共有セル１２内のＲ／Ｔポイント１４の全て、又はＲ／Ｔポイント１４の少なくともサブセットからの受信信号が処理されて、それらＲ／Ｔポイント１４からの受信信号の別々のサンプルが抽出される。その処理は、合成器３０、ＲＦ処理サブシステム２２、及びアナログ処理サブシステム２４による通常のアップリンク処理と並列に実行される。
【００５６】
より具体的には、この例において、Ｒ／Ｔポイント１４からの受信信号は、ＲＦ処理サブシステム３２により処理されて、受信信号の対応する中間周波数サンプルが提供される。この例において、受信信号の中間周波数サンプルは、Ｒ／Ｔポイント１４からの受信信号のうちの、ワイヤレスデバイス１８からのアップリンク送信又はアップリンク送信の選択部分が受信されるものと予期される時間ウィンドウの期間中の部分である。特に、この例において、受信信号の中間周波数サンプルは、Ｒ／Ｔポイント１４からの受信信号のうちの、アップリンク送信内でアップリンクＳＲＳシンボルがあるものと予期される時間ウィンドウの期間中の部分である。時間多重化器として言及されてもよいアクティブ中間周波数（ＩＦ）合成器３４は、Ｒ／Ｔポイント１４の全て又はＲ／Ｔポイント１４の選択されたサブセットからの受信信号のＩＦサンプルを、合成信号へと合成し、又はより具体的には、時間多重化信号へと時間多重化する。図示したように、ＳＲ１は第１のＲ／Ｔポイント１４についてのサンプル、ＳＲ２は第２のＲ／Ｔポイント１４についてのサンプル、などである。上で議論したように、Ｒ／Ｔポイント１４の選択されたサブセットは、ワイヤレスデバイス１８からの受信信号強度が予め定義される閾値よりも大きいか又は大きいと予期される（即ち、強い）、複数のＲ／Ｔポイント１４であり得る。とりわけ、ＲＦ処理サブシステム３２又はアクティブＩＦ合成器３４のいずれかにおいて、ワイヤレスデバイス１８のロケーションを判定するために望ましくない受信信号の任意の部分が、例えば帯域幅を削減する目的で破棄されてもよい。
【００５７】
時間多重化信号は、例えばアナログ−デジタル変換といった多様な機能を実行し得るアナログ処理サブシステム３６により処理され、デジタル処理サブシステム２６へ提供される。デジタル処理サブシステム２６は、時間多重化信号から異なる複数のＲ／Ｔポイント１４についてのサンプルを抽出する。次いで、上述したものと同じやり方で、デジタル処理サブシステム２６は、それらサンプルを利用して、ワイヤレスデバイス１８と対応するＲ／Ｔポイント１４との間のレンジについてのレンジ推定結果を判定する。次いで、デジタル処理サブシステム２６は、マルチラテレーション技法を用いて、レンジ推定結果に基づき、ワイヤレスデバイス１８のロケーション又はより具体的にはワイヤレスデバイス１８のロケーションの推定値を計算する。
【００５８】
いくつかの実施形態において、ＲＦ処理サブシステム３２及びアクティブＩＦ合成器３４は、共有セル１２内の全てのＲ／Ｔポイント１４からの受信信号からの全てのアップリンクＳＲＳシンボルについてのサンプルを提供するように動作する。次いで、デジタル処理サブシステム２６は、それらサンプルを、アップリンクＳＲＳシンボルと対象のワイヤレスデバイス１８との間の既知の関係性と共に利用して、マルチラテレーションのための適切なレンジ推定値を計算することができる。
【００５９】
他の実施形態において、ＲＦ処理サブシステム３２及びアクティブＩＦ合成器３４は、共有セル１２内のＲ／Ｔポイント１４の全て又はサブセットからの受信信号からのアップリンクＳＲＳシンボルのサブセットのみについてのサンプルを提供するように動作する。これは、サンプルを含む時間多重化信号についての帯域幅オーバヘッドのさらなる削減を提供する。ここで、スケジューラ２８は、処理のための適切なＳＲＳリソースと共にワイヤレスデバイス１８を構成することにおいて重要な役割を演じることができる。また、ユーザデータとは異なり、ＳＲＳ情報は、時間分散的なやり方でプロセッサへ伝達可能であることから、リアルタイムでプロセッサへ渡される必要がない。
【００６０】
例えば、５ｍｓのセルピリオドのＳＲＳと、８つのＲ／Ｔポイント１４でのマージセル構成とを用いることを考慮されたい。無線フレーム（１０ｍｓ）ごとに多重化されるＳＲＳシンボルの数は、２×８＝１６であり、無線フレームごとの正規のシンボルの数は１４×１０＝１４０である。よって、多重化されたＳＲＳデータをトランスポートするための増加した帯域幅の増分は、１６／１４０＝１１．４％である。
【００６１】
図６は、本開示のいくつかの実施形態に係る、図５のＲＸ／ＴＸ処理システム１６の動作を示している。図６に示した処理は、本開示のいくつかの実施形態に係る、図２の処理のより詳細な例示でもある。図示したように、異なる複数のＲ／Ｔポイント１４についてのサンプルを取得するために、ＲＸ／ＴＸ処理システム１６、具体的にはスケジューラ２８は、ワイヤレスデバイス又はＵＥ１８によるアップリンク送信をスケジューリングする（ステップ３００）。ワイヤレスデバイス１８によるアップリンク送信の少なくとも一部に対応する時間ウィンドウの期間中に、共有セル１２内の複数のＲ／Ｔポイント１４により出力される受信信号を合成して共有セルについての合成受信信号を提供することに先立って、ＲＸ／ＴＸ処理システム１６は、上記時間ウィンドウの期間中に複数のＲ／Ｔポイント１４の少なくともサブセットにより受信される受信信号の一部を同時に取得する（ステップ３０２）。あらためて、アップリンクＳＲＳを一例として用いると、アップリンク送信内でアップリンクＳＲＳが受信されるものと予期される時間ウィンドウの期間内に、処理システム１６は、Ｒ／Ｔポイント１４の少なくともサブセットからの受信信号のうちの、当該受信ウィンドウの期間中に受信された部分を取得する。言い換えると、具体的な実装に依存して、Ｒ／Ｔポイント１４の各々について又はＲ／Ｔポイント１４のサブセットの各々について、ＲＸ／ＴＸ処理システム１６は、当該Ｒ／Ｔポイント１４からの受信信号のうちの、アップリンクＳＲＳが予期される時間ウィンドウの期間中に受信される部分であるサンプルを取得する。
【００６２】
異なる複数のＲ／Ｔポイント１４について取得される別々のサンプルは、それらサンプルを含む時間多重化信号を提供するために時間多重化され、その時間多重化信号が、マルチラテレーションが実行される適切なノードへ送信される（ステップ３０４）。とりわけ、ステップＳ３０４は、オプション的である。より具体的には、ＲＸ／ＴＸ処理システム１６は、上で議論したように、２つ以上のネットワークノードとして実装され、上記サンプルは、上で議論した通りの時間多重化信号を介して、あるネットワークノードから他へ提供され得る。しかしながら、いくつかの他の実施形態において、上記サンプルは、あるネットワークノードから他へ何らかの他のやり方（例えば、並列的なストリームを介する）で提供されてもよい。また、いくつかの実施形態において、同一のノードにより上記サンプルが取得され及びマルチラテレーションが実行されてもよく、そのケースでは、あるネットワークノードから他へサンプルが通信される必要はないはずである。このケースにおいて、ステップ３０４は実行されなくてよい。但し、同一のネットワークノードにおいてサンプルが取得され及びマルチラテレーションが実行される場合であっても、いくつかの実施形態において、例えば内部的な帯域幅の需要を低減する目的で、ステップ３０４が依然として実行されてもよいことに留意されたい。
【００６３】
この点より、処理は上で説明した通りに進行する。具体的には、ＲＸ／ＴＸ処理システム１６は、ワイヤレスデバイス１８とＲ／Ｔポイント１４との間のレンジについてのレンジ推定結果を、対応するサンプルに基づいて計算する（ステップ３０６）。ＲＸ／ＴＸ処理システム１６は、次いで、マルチラテレーション技法を用いて、レンジ推定結果に基づき、ワイヤレスデバイス１８のロケーションを計算する（ステップ３０８）。
【００６４】
いくつかの実施形態において、ＲＸ／ＴＸ処理システム１６は、２つ以上のネットワークノードとして実装される。例えば、ＲＸ／ＴＸ処理システム１６は、エリクソンのＲＤＳ（Radio  Dot  System）内のそれ又は類似するものとして実装されてもよい。より具体的には、図７に示したように、合成器３０、ＲＦ処理サブシステム２２、アナログ処理サブシステム２４、ＲＦ処理サブシステム３２、アクティブＩＦ合成器３４、及びアナログ処理サブシステム３６が第１のネットワークノード内に実装されてもよく、これを合成ノード３８という。いくつかの具体的な実装において、合成ノード３８は、ＲＤＳのＩＲＵであってもよい。図７の例において、デジタル処理サブシステム２６は、第２のネットワークノード内に実装されており、これをデジタルノード４０という。重要なこととして、図７の例は、図５のＲＸ／ＴＸ処理システム１６の実施形態を基準として、第１及び第２のネットワークノード（即ち、合成ノード３８及びデジタルノード４０）を示しているが、同じ形で、図３の実施形態もまた２つのネットワークノードとして実装されてよい。言い換えると、他の実施形態において、合成ノード３８は、図３のＲＸ／ＴＸ処理システム１６の合成及びラインミューティングサブシステム２０と、ＲＦ処理サブシステム２２と、アナログ処理サブシステム２４とを含む。いくつかの具体的な実装において、デジタルノード４０は、ＲＤＳ内のデジタルユニットである。
【００６５】
これら２つのネットワークノードは、例えばＣＰＲＩ（Common  Public  Radio  Interface）リンクといったリンクにより接続される。このケースにおいて、サンプルを含む時間多重化信号、及びアナログ処理サブシステム２４の出力は、共に、デジタル処理サブシステム２６へ同一のリンク上で提供されてもよく、又は別々のリンク上で提供されてもよい。とりわけ、いくつかの実施形態において、サンプルを含む時間多重化信号は、何らかの利用可能なリンク帯域幅ヘッドルームを活用することにより、圧縮技法を用いることにより、又は、リンク上で通信される既存のストリームの１つへデータの順序を間引くことにより、既存のリンクへフィットさせられ得る。
【００６６】
本開示を通じて、次の頭字語が使用されている。
・３ＧＰＰ    3rd  Generation  Partnership  Project
・ＣＰＲＩ    Common  Public  Radio  Interface
・Ｅ９１１    Enhanced  911
・ｅＮＢ      Enhanced  or  Evolved  Node  B
・ＦＣＣ      Federal  Communications  Commission
・ＦＦＴ      Fast  Fourier  Transform
・ＧＰＳ      Global  Positioning  System
・ＩＤ        Identifier
・ＩＦ        Intermediate  Frequency
・ＩＲＵ      Indoor,  or  Intermediate,  Radio  Unit
・ｋｍ／ｈｒ  Kilometers  per  Hour
・ＬＴＥ      Long  Term  Evolution
・ｍ          Meter
・ｍｓ        Millisecond
・ＯＴＤＯＡ  Observed  Time  Difference  of  Arrival
・ＰＲＳ      Positioning  Reference  Signal
・ＲＤＳ      Radio  Dot  System
・ＲＦ        Radio  Frequency
・Ｒ／Ｔ      Receive/Transmit
・ＲＸ／ＴＸ  Reception/Transmission
・ＳＲＳ      Sounding  Reference  Symbol
・ＴＤＯＡ    Time  Difference  of  Arrival
・ＵＥ        User  Equipment
・ＵＴＤＯＡ  Uplink  Time  Difference  of  Arrival
【００６７】
当業者は、本開示の実施形態に対する改善及び修正を認識するであろう。全てのそうした改善及び修正は、ここで開示した概念及び後続の特許請求の範囲のスコープの範囲内であるものと見なされる。
【図１】
2018526927.tif 000004
【図２】
2018526927.tif 000005
【図３】
2018526927.tif 000006
【図４】
2018526927.tif 000007
【図５】
2018526927.tif 000008
【図６】
2018526927.tif 000009
【図７】
2018526927.tif 000010
【国際調査報告】
2018526927.tif 000011
2018526927.tif 000012
2018526927.tif 000013